(57)【要約】【課題】電子機器への挿脱時にハードディスクドライブカートリッジの落下を防止する。【解決手段】電子機器５０のセット外装筐体５１に開閉自在に取り付けたドアー５２をセット外装筐体５１の外側に向かって略水平に開いて、このドアー５２と対向してセット外装筐体５１に形成した挿脱口５１ａ１から挿脱されるカートリッジ筐体１１内に所定サイズのハードディスクドライブ（２０）を収納し、ハーフ１２，１３を蓋合せしたカートリッジ筐体１１の電子機器５０への挿入方向前面１２ａ，１３ａ側に電子機器５０に対してコネクタ接続するためのコネクタ１５を取り付けて構成されたハードディスクドライブカートリッジ１０において、カートリッジ筐体１１の底面１３ｅ側に係止孔１３ｅ２を形成し、カートリッジ筐体１１の電子機器５０への挿脱時に係止孔１３ｅ２をドアー５２の裏面５２ｂ側に回動可能に取り付けた係止用レバー５４に一時的に係止させる。【選択図】図１
2008310866.tif 000002
【特許請求の範囲】
【請求項１】
電子機器のセット外装筐体に開閉自在に取り付けたドアーを該セット外装筐体の外側に向かって略水平に開いて、このドアーと対向して前記セット外装筐体に形成した挿脱口から挿脱されるカートリッジ筐体内に所定サイズのハードディスクドライブを収納し、且つ、前記カートリッジ筐体の前記電子機器への挿入方向前面側に該電子機器に対してコネクタ接続するためのコネクタを取り付けて構成されたハードディスクドライブカートリッジにおいて、
前記カートリッジ筐体の底面側に係止孔を形成し、且つ、前記カートリッジ筐体の前記電子機器への挿脱時に前記係止孔を前記ドアーの裏面側に回動可能に取り付けた係止用レバーに一時的に係止させることを特徴とするハードディスクドライブカートリッジ。
【請求項２】
電子機器のセット外装筐体に形成した挿脱口から挿脱されるカートリッジ筐体内に所定サイズのハードディスクドライブを収納し、且つ、前記カートリッジ筐体の前記電子機器への挿入方向前面側に該電子機器に対してコネクタ接続するためのコネクタを取り付けて構成されたハードディスクドライブカートリッジにおいて、
前記ハードディスクドライブの側面の外側に少なくとも一つ以上の導電性板バネを取り付けて、該一つ以上の導電性板バネを臨ませる少なくとも一つ以上の孔を前記カートリッジ筐体の側面に形成したことを特徴とするハードディスクドライブカートリッジ。
【請求項３】
前記電子機器内に前記カートリッジ筐体を装着した際に、前記一つ以上の孔内に臨んだ前記一つ以上の導電性板バネを、前記電子機器内に回動可能に設けた少なくとも一つ以上の導電性レバーに当接させることを特徴とする請求項２記載のハードディスクドライブカートリッジ。
【請求項４】
電子機器のセット外装筐体に開閉自在に取り付けたドアーを該セット外装筐体の外側に向かって略水平に開いて、このドアーと対向して前記セット外装筐体に形成した挿脱口から挿脱され、且つ、所定サイズのハードディスクドライブを収納したカートリッジ筐体と外形寸法が略同じに設定されたアダプタ筐体内に前記所定サイズのハードディスクドライブよりも小型のハードディスクドライブを収納し、且つ、前記アダプタ筐体の前記電子機器への挿入方向前面側に該電子機器に対してコネクタ接続するためのコネクタを取り付けて構成されたハードディスクドライブカートリッジ装着用アダプタにおいて、
前記アダプタ筐体の底面側に係止孔を形成し、且つ、前記アダプタ筐体の前記電子機器への挿脱時に前記係止孔を前記ドアーの裏面側に回動可能に取り付けた係止用レバーに一時的に係止させることを特徴とするハードディスクドライブカートリッジ装着用アダプタ。
【発明の詳細な説明】
【技術分野】
【０００１】
本発明は、３．５インチ型ハードディスクドライブをカートリッジ筐体内に収納した３．５インチ型ハードディスクドライブカートリッジと、３．５インチ型ハードディスクドライブカートリッジのカートリッジ筐体と外形寸法が略同じに形成されたアダプタ筐体内に２．５インチ型ハードディスクドライブ又は１．８インチ型ハードディスクドライブを選択的に収納した２．５インチ型／１．８インチ型ハードディスクドライブ装着用アダプタとに関するものである。
【背景技術】
【０００２】
一般的に、円盤状のハードディスク（ＨＤ：Ｈａｒｄ  Ｄｉｓｃ）は、光ディスクや磁気テープなどよりも記録容量が大きいために映像とか音声を長時間記録再生ができ、また、ランダムアクセスが可能なために記録再生箇所の頭出しが簡単にできるなどの優れた特徴を有している。
【０００３】
また、最近、大容量の情報を記録再生するハードディスクドライブ（ＨＤＤ：Ｈａｒｄ  Ｄｉｓｃ  Ｄｒｉｖｅ）を内蔵した状態で可搬性を有するハードディスクドライブカートリッジ（以下、ＨＤＤカートリッジと記す）が注目されており、ＡＶ（Ａｕｄｉｏ  Ｖｉｄｅｏ）機器からＰＣ（Ｐｅｒｓｏｎａｌ  Ｃｏｍｐｕｔｅｒ）までに亘る電子機器に適応できるように、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）コンソーシアムにおいて規格化（標準化）の検討が行われている。
【０００４】
この際、ｉＶＤＲコンソーシアムでは、３．５インチ型や、２．５インチ型や、１．８インチ型など各種のハードディスク（ＨＤ）をそれぞれ収納した外形寸法が異なる複数種のハードディスクドライブ（ＨＤＤ）に対して、同一の電子機器内でコネクタ接続に対して互換性を持って着脱できるように規格化が検討されている。
【０００５】
具体的には、所定サイズとなる３．５インチ型ＨＤＤをカートリッジ筐体内に収納した３．５インチ型ＨＤＤカートリッジと、３．５インチ型ＨＤＤカートリッジのカートリッジ筐体と外形寸法が略同じに形成されたアダプタ筐体内に２．５インチ型ＨＤＤ又は１．８インチ型ＨＤＤを選択的に収納した２．５インチ型／１．８インチ型ハードディスクドライブ装着用アダプタとを検討することで、両者が同一の電子機器内でコネクタ接続に対して互換性を持って着脱できるように規格化が検討されている。
【０００６】
一方、ｉＶＤＲをスムーズに着脱可能にした記憶媒体装着装置、及び電気機器がある（例えば、特許文献１参照）。
【０００７】
また、耐衝撃性に優れた小型軽量な携帯型ハードディスク装置もある（例えば、特許文献２参照）。
【０００８】
【特許文献１】特開２００７−８０４３３号公報
【特許文献２】特開２００３−２７２３６７号公報。
【０００９】
図１２は従来例１の記憶媒体装着装置、及び電気機器を示した斜視図、
図１３は従来例２の携帯型ハードディスク装置を示した斜視図である。
【００１０】
まず、図１２に示した従来例１の記憶媒体装着装置、及び電気機器は、上記した特許文献１（特開２００７−８０４３３号公報）に開示されているものであり、ここでは特許文献１を参照して簡略に説明する。
【００１１】
図１２に示した如く、従来例１の電気機器の一例である録画再生装置１００では、筐体１０１に装着ユニット１１０（記憶媒体装着装置に該当）が内蔵されている。また、装着ユニット１１０には、持ち運び可能な記憶媒体であるｉＶＤＲ１２０がコネクタ接続により着脱可能に装着されるようになっており、このｉＶＤＲ１２０は幅方向に比べて厚みが薄いカセット形状のケース１２１の内部にハードディスク装置１３０が収納されている。
【００１２】
また、筐体１０１のフロントパネル１０１ａには、ｉＶＤＲ１２０を装着する開口部１０２ａを設けた枠部１０２が設けられており、この開口部１０２ａは通常の状態では、装着ユニット１１０に設けられたフラップ１１１（扉体に相当）により閉鎖されており、ｉＶＤＲ１２０を装着する空間を保護している。そして、ｉＶＤＲ１２０が装着ユニット１１０内に装着された時に、ｉＶＤＲ１２０へアクセスしてデータの読み出しと書き込みの両方を行うようになっている。
【００１３】
次に、図１３に示した従来例２の携帯型ハードディスク装置２００は、上記した特許文献２（特開２００３−２７２３６７号公報）に開示されているものであり、ここでは特許文献２を参照して簡略に説明する。
【００１４】
図１３に示した如く、従来例２の携帯型ハードディスク装置２００では、不図示のハードディスクドライブを収納したケース２０１と、このケース２０１を収納する筐体２０２との間でケース２０１の４隅に４個の緩衝吸収材２０３が設置され、更に、筐体２０２の側面の蓋２０４に端子部２０５が設けられ、且つ、端子部２０５はフラットケーブル２０６を経てケース２０１に設けられたピン端子２０７を介してケース２０１内の回路部に接続された後に、蓋２０４を複数のネジ２０８を用いて筐体２０２に取り付けている。
【００１５】
そして、上記のように構成した携帯型ハードディスク装置２００は、不図示の携帯型ハードディスク用カップリング装置に対して着脱自在になっている。
【発明の開示】
【発明が解決しようとする課題】
【００１６】
ところで、上記した従来例１では、電気機器１００の筐体１０１内に設けられた装着ユニット（記憶媒体装着装置）１１０に設けられたフラップ１１１を開けて、筐体１０１の開口部１０２ａからｉＶＤＲ１２０を挿脱する場合に、ｉＶＤＲ１２０のケース１２１内に重量のあるハードディスク装置１３０が収納されているので、ｉＶＤＲ１２０が重くなるためにユーザーはｉＶＤＲ１２０を筐体１０１の開口部１０２ａから落下させてしまう場合があり、これによりｉＶＤＲ１２０が破損してしまうことがある。
【００１７】
また、上記した従来例１では、装着ユニット（記憶媒体装着装置）１１０内にｉＶＤＲ１２０を装着した際に、装着ユニット１１０とｉＶＤＲ１２０との間で接地（アース）する技術的思想については何らの開示もなく示唆すらされていないので、使用時に不具合な現象が起こる場合もあり得る。更に、ｉＶＤＲ１２０で発生した熱を装着ユニット（記憶媒体装着装置）１１０の外部に放出する技術的思想については何らの開示もなく示唆すらされていない。
【００１８】
また            、上記した従来例２では、ケース２０１内に不図示のハードディスクドライブを収納する際に、ハードディスクドライブの４隅に４個の緩衝吸収材２０３を取り付けることで、ハードディスクドライブ内で生じた振動や外部からの衝撃を緩衝できるものの、この従来例２にも、不図示のハードディスクドライブと不図示の携帯型ハードディスク用カップリング装置との間で接地（アース）する技術的思想については何らの開示もなく示唆すらされていないので、使用時に不具合な現象が起こる場合もあり得る。
【００１９】
そこで、所定サイズのハードディスクドライブを収納したハードディスクドライブカートリッジ、又は、所定サイズのハードディスクドライブよりも小型のハードディスクドライブを収納したハードディスクドライブカートリッジ装着用アダプタを、電子機器内でコネクタ接続に対して互換性を持って着脱するにあたって、重量のあるハードディスクドライブカートリッジ、又は、重量のあるハードディスクドライブカートリッジ装着用アダプタが電子機器のセット外装筐体に形成した挿脱口から落下するのを防止できるハードディスクドライブカートリッジ及びハードディスクドライブ装着用アダプタが望まれている。
【００２０】
更に、所定サイズのハードディスクドライブを収納したハードディスクドライブカートリッジを電子機器内に装着したときに、ハードディスクドライブと電子機器との間で良好に接地でき、且つ、外部からの衝撃も緩衝できると共に、ハードディスクドライブ内で発生した熱を電子機器の外部に良好に放熱できるハードディスクドライブカートリッジも望まれている。
【課題を解決するための手段】
【００２１】
本発明は上記課題に鑑みてなされたものであり、請求項１記載の発明は、電子機器のセット外装筐体に開閉自在に取り付けたドアーを該セット外装筐体の外側に向かって略水平に開いて、このドアーと対向して前記セット外装筐体に形成した挿脱口から挿脱されるカートリッジ筐体内に所定サイズのハードディスクドライブを収納し、且つ、前記カートリッジ筐体の前記電子機器への挿入方向前面側に該電子機器に対してコネクタ接続するためのコネクタを取り付けて構成されたハードディスクドライブカートリッジにおいて、
前記カートリッジ筐体の底面側に係止孔を形成し、且つ、前記カートリッジ筐体の前記電子機器への挿脱時に前記係止孔を前記ドアーの裏面側に回動可能に取り付けた係止用レバーに一時的に係止させることを特徴とするハードディスクドライブカートリッジである。
【００２２】
また、請求項２記載の発明は、電子機器のセット外装筐体に形成した挿脱口から挿脱されるカートリッジ筐体内に所定サイズのハードディスクドライブを収納し、且つ、前記カートリッジ筐体の前記電子機器への挿入方向前面側に該電子機器に対してコネクタ接続するためのコネクタを取り付けて構成されたハードディスクドライブカートリッジにおいて、
前記ハードディスクドライブの側面の外側に少なくとも一つ以上の導電性板バネを取り付けて、該一つ以上の導電性板バネを臨ませる少なくとも一つ以上の孔を前記カートリッジ筐体の側面に形成したことを特徴とするハードディスクドライブカートリッジである。
【００２３】
また、請求項３記載の発明は、前記電子機器内に前記カートリッジ筐体を装着した際に、前記一つ以上の孔内に臨んだ前記一つ以上の導電性板バネを、前記電子機器内に回動可能に設けた少なくとも一つ以上の導電性レバーに当接させることを特徴とする請求項２記載のハードディスクドライブカートリッジである。
【００２４】
更に、請求項４記載の発明は、電子機器のセット外装筐体に開閉自在に取り付けたドアーを該セット外装筐体の外側に向かって略水平に開いて、このドアーと対向して前記セット外装筐体に形成した挿脱口から挿脱され、且つ、所定サイズのハードディスクドライブを収納したカートリッジ筐体と外形寸法が略同じに設定されたアダプタ筐体内に前記所定サイズのハードディスクドライブよりも小型のハードディスクドライブを収納し、且つ、前記アダプタ筐体の前記電子機器への挿入方向前面側に該電子機器に対してコネクタ接続するためのコネクタを取り付けて構成されたハードディスクドライブカートリッジ装着用アダプタにおいて、
前記アダプタ筐体の底面側に係止孔を形成し、且つ、前記アダプタ筐体の前記電子機器への挿脱時に前記係止孔を前記ドアーの裏面側に回動可能に取り付けた係止用レバーに一時的に係止させることを特徴とするハードディスクドライブカートリッジ装着用アダプタである。
【発明の効果】
【００２５】
請求項１記載のハードディスクドライブカートリッジによると、カートリッジ筐体内に所定サイズのハードディスクドライブを収納したハードディスクドライブカートリッジを、電子機器のセット外装筐体に開閉自在に取り付けたドアーをセット外装筐体の外側に向かって略水平に開いて、このドアーと対向してセット外装筐体に形成した挿脱口から挿脱する際に、カートリッジ筐体の底面側に係止孔を形成し、且つ、カートリッジ筐体の電子機器への挿脱時に係止孔をドアーの裏面側に回動可能に取り付けた係止用レバーに一時的に係止させているために、ハードディスクドライブカートリッジの電子機器への挿脱時に、重量のあるハードディスクドライブカートリッジを挿脱口から落下するのを防止できるので、所定サイズのハードディスクドライブ及び所定サイズのハードディスクドライブを収納したハードディスクドライブカートリッジの破損を防止できる。
【００２６】
また、請求項２及び請求項３記載のハードディスクドライブカートリッジによると、カートリッジ筐体内に所定サイズのハードディスクドライブを収納したハードディスクドライブカートリッジを電子機器のセット外装筐体内に装着する際に、ハードディスクドライブの側面の外側に少なくとも一つ以上の導電性板バネを取り付けて、一つ以上の導電性板バネを臨ませる少なくとも一つ以上の孔をカートリッジ筐体の側面に形成し、且つ、一つ以上の孔内に臨んだ一つ以上の導電性板バネを電子機器内に回動可能に設けた少なくとも一つ以上の導電性レバーに当接させているために、導電性板バネと導電性レバーとを介してハードディスクドライブと電子機器との間で良好に接地でき、且つ、導電性板バネのバネ力により一定の荷重でハードディスクカートリッジを電子機器内で押さえることができ、所定サイズのハードディスクの固有振動数を外して制振しながら固定できると共に、ハードディスクドライブで生じた熱を導電性板バネと導電性レバーとを介して電子機器の外部に短時間で効率良く放熱できる。
【００２７】
更に、請求項４記載のハードディスクドライブカートリッジによると、所定サイズのハードディスクドライブを収納したカートリッジ筐体と外形寸法が略同じに設定されたアダプタ筐体内に所定サイズのハードディスクドライブよりも小型のハードディスクドライブを収納したハードディスクドライブカートリッジ装着用アダプタを、電子機器のセット外装筐体に開閉自在に取り付けたドアーをセット外装筐体の外側に向かって略水平に開いて、このドアーと対向してセット外装筐体に形成した挿脱口から挿脱する際に、アダプタ筐体の底面側に係止孔を形成し、且つ、アダプタ筐体の電子機器への挿脱時に係止孔をドアーの裏面側に回動可能に取り付けた係止用レバーに一時的に係止させているために、ハードディスクドライブカートリッジ装着用アダプタの電子機器への挿脱時に、重量のあるハードディスクドライブカートリッジ装着用アダプタを挿脱口から落下するのを防止できるので、小型のハードディスクドライブ及び小型のハードディスクドライブを収納したハードディスクドライブカートリッジの破損を防止できる。
【発明を実施するための最良の形態】
【００２８】
以下に本発明に係るハードディスクドライブカートリッジ及びハードディスクドライブ装着用アダプタの一実施例について図１〜図１１を参照して詳細に説明する。
【実施例】
【００２９】
図１は本発明に係るハードディスクドライブカートリッジ及び電子機器を示した斜視図、
図２は本発明に係るハードディスクドライブカートリッジを裏面側から見た斜視図、
図３（ａ），（ｂ）は本発明に係るハードディスクドライブカートリッジ内に収納される３．５インチ型ハードディスクドライブを示した斜視図、
図４は３．５インチ型ハードディスクドライブを収納した本発明に係るハードディスクドライブカートリッジを一部分解して示した一部分解斜視図、
図５（ａ）〜（ｃ）は本発明に係るハードディスクドライブカートリッジを電子機器内から引き抜く動作を説明するために図２中のＸ−Ｘ矢視方向に沿って断面して示した縦断面図、
図６（ａ），（ｂ）は本発明に係るハードディスクドライブカートリッジを電子機器内に挿入する動作を説明するために図２中のＸ−Ｘ矢視方向に沿って断面して示した縦断面図、
図７（ａ），（ｂ）は本発明に係るハードディスクドライブカートリッジ内に収納した３．５インチ型ハードディスクドライブを電子機器内で接地（アース）する動作を説明するために図１中のＹ−Ｙ矢視方向に沿って断面して示した縦断面図、
図８（ａ），（ｂ）は本発明に係るハードディスクドライブカートリッジ内に収納した３．５インチ型ハードディスクドライブで生じた熱を電子機器の外部に放熱する際に、本発明に対する比較例の場合を模式的に示した図、
図９（ａ），（ｂ）は本発明に係るハードディスクドライブカートリッジ内に収納した３．５インチ型ハードディスクドライブで生じた熱を電子機器の外部に放熱する際に、本発明の場合を模式的に示した図、
図１０（ａ），（ｂ）は本発明に係るハードディスクドライブ装着用アダプタを説明するために示した斜視図、
図１１は本発明に係るハードディスクドライブカートリッジと、本発明に係るハードディスクドライブ装着用アダプタとを電子機器内で判別する動作を示したフロー図である。
【００３０】
まず、図１に示した如く、３．５インチ型ハードディスクドライブを収納した本発明に係るハードディスクドライブカートリッジ（以下、３．５インチ型ＨＤＤカートリッジと記す）１０と、後述の図１０で説明するように２．５インチ型ハードディスクドライブ又は１．８インチ型ハードディスクドライブを選択的に収納した本発明に係るハードディスクドライブ装着用アダプタ（以下、２．５インチ型／１．８インチ型ＨＤ装着用アダプタと記す）３０とが、ＡＶ（Ａｕｄｉｏ  Ｖｉｄｅｏ）機器からＰＣ（Ｐｅｒｓｏｎａｌ  Ｃｏｍｐｕｔｅｒ）までに亘る電子機器５０内にコネクタ接続に対して互換性を持って選択的に着脱自在に構成されている。
【００３１】
上記した電子機器５０では、外装を形成するセット外装筐体５１の前面５１ａに挿脱口５１ａ１が長方形状に開口されており、この挿脱口５１ａ１から３．５インチ型ＨＤＤカートリッジ１０又は２．５インチ型／１．８インチ型ＨＤＤ装着用アダプタ３０（図１０）が挿脱可能になっている。
【００３２】
また、電子機器５０のセット外装筐体５１の前面５１ａには、挿脱口５１ａ１から塵埃がセット外装筐体５１内に侵入するのを防止するためのドアー５２が開閉自在に取り付けられており、このドアー５２は不図示のカートリッジローディング用駆動源と連結されて３．５インチ型ＨＤＤカートリッジ１０又は２．５インチ型／１．８インチ型ＨＤＤ装着用アダプタ３０（図１０）の挿脱方向と対応してセット外装筐体５１の外側に向かって略水平に開くようになっている。
【００３３】
また、上記したドアー５２は、前面５２ａが平坦に形成されていると共に、挿脱口５１ａ１と対向する裏面５２ｂ側に凹部５２ｂ１が形成されており、この凹部５２ｂ１を覆うようにドアー後面カバー５３が一体的に取り付けられている。
【００３４】
更に、ドアー５２の裏面５２ｂ側の凹部５２ｂ１内に回動可能に取り付けたカートリッジ係止用テーパ状レバー５４がドアー後面カバー５３に形成した矩形孔５３ａ内を出没自在に臨んでいる。
【００３５】
そして、ドアー５２をセット外装筐体５１の外側に向かって略水平に開いて、電子機器５０のセット外装筐体５１の前面５１ａに開口した挿脱口５１ａ１から３．５インチ型ＨＤＤカートリッジ１０又は後述する２．５インチ型／１．８インチ型ＨＤＤ装着用アダプタ３０（図１０）を挿脱する際に、ドアー５２の裏面５２ｂ側に取り付けたカートリッジ係止用テーパ状レバー５４により重量のある３．５インチ型ＨＤＤカートリッジ１０又は２．５インチ型／１．８インチ型ＨＤＤ装着用アダプタ３０（図１０）をドアー５２の裏面５２ｂに取り付けたドアー後面カバー５３に上に一時的に係止させるようになっているが、これについては後で述べる。
【００３６】
次に、３．５インチ型ＨＤＤカートリッジ１０は、外形形状が略直方体形状であり、且つ、所定サイズである最大サイズの３．５インチ型に構成されており、樹脂材を用いてカートリッジ筐体１１が奥行き寸法Ｄ，幅寸法Ｗ，高さ寸法Ｈに形成されている。この際、上記したカートリッジ筐体１１の奥行き寸法Ｄ，幅寸法Ｗ，高さ寸法Ｈは、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて今後規格化された場合に、例えば、Ｄ＝１８５ｍｍ，Ｗ＝１１６ｍｍ，Ｈ＝３６ｍｍ程度に設定されることが見込まれる。
【００３７】
また、３．５インチ型ＨＤＤカートリッジ１０のカートリッジ筐体１１は、上ハーフ１２と下ハーフ１３とに２分割されており、且つ、上ハーフ１２と下ハーフ１３との間に３．５インチ型ハードディスクドライブ（以下、３．５インチ型ＨＤＤと記す）２０（図３）が収納された状態で両ハーフ１２，１３同士を蓋合わせして、図２及び図４に示したように複数のネジ１４Ａ，１４Ｂにより一体的に合体されている。
【００３８】
より具体的に説明すると、図３（ａ）に示した如く、上記した３．５インチ型ＨＤＤ２０は、アルミダイキャス材を用いて箱状に形成した下ケース２１内に不図示のスピンドルモーターに回転自在に取り付けられた３．５インチ型ハードディスク（以下、３．５インチ型ＨＤと記す）２２と、この３．５インチ型ＨＤ２２の径方向に移動自在な磁気ヘッド２３とが取り付けられており、且つ、下ケース２１の上方に板金部材を用いて下ケース２１よりも一回り大きく箱状に形成した上ケース２４をかぶせてこの上ケース２４を複数のネジ２５を用いて下ケース２１に固定することで内部が密閉されている。
【００３９】
この際、上ケース２４のうちで長手方向に対応して互いに対向する左右の側面２４ｃ，２４ｄの外側に導電性板バネ２６がそれぞれ間隔を離して２個づつ弾性変位可能に取り付けられており、合計で４個の導電性板バネ２６は後述するように電子機器５０に対して接地（アース）する機能と、外部からの衝撃に対して緩衝する機能と、３．５インチ型ＨＤＤ２０の内部で発生した熱を外部に放熱する機能とを備えている。
【００４０】
尚、この実施例では、上ケース２４の左右の側面２４ｃ，２４ｄの外側に、この上ケース２４と別体で形成した合計４個の導電性板バネ２６が取り付けられているものの、導電性板バネ２６の数量はカートリッジ筐体１１の側面の外側に少なくとも一つ以上も設ければ良いものであり、更に、導電性を有して弾性変位可能なバネ材を用いて上ケース２４を形成した上でこの上ケース２４と一体に側面の外側に少なくとも一つ導電性板バネを形成することでも良い。
【００４１】
更に、図３（ａ），（ｂ）に示したように、３．５インチ型ＨＤＤ２０の外周縁のうちで外側４隅には第１緩衝吸収材２７Ａ〜２７Ｄがそれぞれ嵌め込まれ、且つ、左右の側面の外側中央部位に第２緩衝吸収材２８Ａ，２８Ｂが必要に応じてそれぞれ嵌め込まれている。
【００４２】
そして、図４に示したように、第１緩衝吸収材２７Ａ〜２７Ｄ及び第２緩衝吸収材２８Ａ，２８Ｂと共に３．５インチ型ＨＤＤ２０をカートリッジ筐体１１の上ハーフ１２内に収納し、且つ、上ハーフ１２内のうちで電子機器５０（図１）に対して挿入する挿入方向前面１２ａ側にコネクタ１５を左右合計２個のゴムブッシュング１６を介して２個のネジ１７で上下左右方向に対して若干の位置ズレを吸収可能に取り付けて、このコネクタ１５と３．５インチ型ＨＤＤカートリッジ１０との間をフレキシブル配線ワイヤ１８で接続した後に、カートリッジ筐体１１の下ハーフ１３を前後左右合計４個のネジ１４Ａ，１４Ｂを用いて上ハーフ１２に取り付けている。
【００４３】
この際、第１緩衝吸収材２７Ａ〜２７Ｄ及び第２緩衝吸収材２８Ａ，２８Ｂの配置は、３．５インチ型ＨＤＤ２０の６面全体に配置することが望ましいが３．５インチ型ＨＤＤ２０の強度や放熱や第１緩衝吸収材２７Ａ〜２７Ｄ及び第２緩衝吸収材２８Ａ，２８Ｂのコストを考慮して第１緩衝吸収材２７Ａ〜２７Ｄを外側４隅に４個配置し、且つ、第２緩衝吸収材２８Ａ，２８Ｂを左右の側面の外側中央部位に２個配置した。また、第１緩衝吸収材２７Ａ〜２７Ｄ及び第２緩衝吸収材２８Ａ，２８Ｂに対して部品種類を増やさないために外側４隅に配置した４個と、左右の側面の外側中央部位に配置した２個はそれぞれ同じ形状の部品とした。
【００４４】
また、３．５インチ型ＨＤＤ２０は、携帯性、可搬性を考慮して構成されていないため、これを携帯用として使用するためには、第１緩衝吸収材２７Ａ〜２７Ｄ及び第２緩衝吸収材２８Ａ，２８Ｂにより外部振動を遮断し、３．５インチ型ＨＤ２２を回転駆動する不図示のスピンドルモーターによる自励振動を抑え、小さい隙間でこれを実現することが必要になる。尚、第１緩衝吸収材２７Ａ〜２７Ｄ及び第２緩衝吸収材２８Ａ，２８Ｂとしては、減衰特性が良く、変形の少ない素材でなければならないので、今回は、ゲル素材のものと、ブチルゴムを用いて適切な位置に配置した。
【００４５】
上記した自励振動は、３．５インチ型ＨＤ２２の半径方向に大きく作用するので、この方向の抑制を強くするために、側面との接触面積を大きくして衝撃吸収の特性をより大きくするようにしている。３．５インチ型ＨＤ２２の回転に起因する振動は、３．５インチ型ＨＤ２２の中心から離れるほど大きく作用するので、４隅で同様に振動を制振するために３．５インチ型ＨＤ２２から近い位置に配置した第１緩衝吸収材２７Ａ，２７Ｂよりも３．５インチ型ＨＤ２２から遠い位置に配置した第１緩衝吸収材２７Ｃ，２７Ｄの方の硬度を高くして制振効果を高めている。
【００４６】
更に、外部振動と自励振動から３．５インチ型ＨＤ２２を保護する目的で、３．５インチ型ＨＤＤ２０の外側４隅に配置した第１緩衝吸収材２７Ａ〜２７Ｄは、ゲル素材を用いて３．５インチ型ＨＤＤ２０の側面との接触面積を大きくしていると共に、３．５インチ型ＨＤＤ２０の上面と下面は外部振動を遮断する目的のため接触面積を小さくしてバネ定数を小さくしている。
【００４７】
一方、３．５インチ型ＨＤＤ２０の左右の側面の外側中央部位に配置した第２緩衝吸収材２８Ａ，２８Ｂは、ブチル素材を用いて、上ケース２４による板金共振を抑えている。
【００４８】
ここで、再び図１及び図２に戻り、３．５インチ型ＨＤＤカートリッジ１０は、カートリッジ筐体１１を構成する上ハーフ１２及び下ハーフ１３の各挿入方向前面１２ａ，１３ａに、電子機器５０に対してコネクタ接続するためのコネクタ１５を露出させる各開口部１２ａ１，１３ａ１が形成されている。
【００４９】
そして、カートリッジ筐体１１を構成する上ハーフ１２及び下ハーフ１３の各挿入方向前面１２ａ，１３ａを先頭にし、且つ、下ハーフ１３の後面１３ｂを上ハーフ１２の後面１２ｂで覆った状態でこの上ハーフ１２の後面１２ｂ側を把持しながら電子機器５０のセット外装筐体５１の前面５１ａに１箇所形成したカートリッジ挿脱口５１ａ１から挿入することで、３．５インチ型ＨＤＤカートリッジ１０が電子機器５０に対してコネクタ接続されるようになっている。
【００５０】
また、カートリッジ筐体１１を構成する上ハーフ１２及び下ハーフ１３のうちで上ハーフ１２の右側面１２ｄと上面１２ｅとが交差する部位に面取り１２ｄｅが施されており、この面取り１２ｄｅは、３．５インチ型ＨＤＤカートリッジ１０を電子機器５０に対して前後、又は、上下をそれぞれ逆にして挿入した時に誤挿入防止の機能を備えている。
【００５１】
また、カートリッジ筐体１１を構成する上ハーフ１２及び下ハーフ１３のうちで下ハーフ１３の左右の側面１３ｃ，１３ｄには、電子機器５０への誤挿入を防止するための誤挿入防止溝１３ｃ１，１３ｄ１がカートリッジ筐体１１の上下方向に対して下ハーフ１３側に偏位し、且つ、挿入方向前面１３ａ側を開口してこの位置から後面１３ｂ側に向かって長尺に形成されていると共に、後面１３ｂ側が閉じられている。
【００５２】
従って、３．５インチ型ＨＤＤカートリッジ１０を電子機器５０のセット外装筐体５１の前面５１ａに形成した挿脱口５１ａ１から挿入する時に、挿脱口５１ａ１の左右に設けた不図示の各誤挿入防止ガイドレールに３．５インチ型ＨＤＤカートリッジ１０の下ハーフ１３に形成した誤挿入防止溝１３ｃ１，１３ｄ１が進入可能な場合のみ正規な挿入となる一方、３．５インチ型ＨＤＤカートリッジ１０の上下を反転したり、あるいは、前後を反転した時には不図示の各誤挿入防止ガイドレールに誤挿入防止溝１３ｃ１，１３ｄ１が進入できないので誤挿入として検知できるようになっている。
【００５３】
また、カートリッジ筐体１１を構成する上ハーフ１２の左右の側面１２ｃ，１２ｄ中で挿入方向前面１２ａ側にローディング爪係合孔１２ｃ１（図２），１２ｄ１（図１）が形成されていると共に、カートリッジ筐体１１を構成する下ハーフ１３の左右の側面１３ｃ，１３ｄ中で挿入方向前面１３ａ側にもローディング爪係合孔１３ｃ２（図２），１３ｄ２（図１）が形成されており、ローディング爪係合孔１２ｃ１，１２ｄ１及びローディング爪係合孔１３ｃ２，１３ｄ２のいずれか一方の組を使用することであらゆる電子機器５０に対応可能になっている。
【００５４】
そして、電子機器５０のセット外装筐体５１の前面５１ａに形成した挿脱口５１ａ１の左右に挿脱方向に沿って移動可能に設けた左右一対のローディング爪（図示せず）が、上ハーフ１２に形成したローディング爪係合孔１２ｃ１，１２ｄ１及び下ハーフ１３に形成したローディング爪係合孔１３ｃ２，１３ｄ２のいずれか一方の組に接離自在に係合することで、３．５インチ型ＨＤＤカートリッジ１０の挿脱中に電子機器５０内で３．５インチ型ＨＤＤカートリッジ１０が挿脱方向に沿ってオートローディングされるようになっている。
【００５５】
また、カートリッジ筐体１１を構成する上ハーフ１２の右側面１２ｄの下方部位にスイッチ検出溝１２ｄ２が挿入方向前面１２ａ側を開口してこの位置から後面１２ｂ側に向かって長尺に形成されていると共に、後面１２ｂｃ側が閉じられている。
【００５６】
また、カートリッジ筐体１１を構成する下ハーフ１３の挿入方向前面１３ａの左右にもスイッチ検出孔１３ａ２が間隔を離して合計２箇所に形成されている。
【００５７】
そして、３．５インチ型ＨＤＤカートリッジ１０を電子機器５０に挿入した時に、電子機器５０内に設けた不図示のスイッチを、上ハーフ１２の右側面１２ｄの下方部位に形成したスイッチ検出溝１２ｄ２又は下ハーフ１３の挿入方向前面１３ａの左右に形成したスイッチ検出孔１３ａ２に進入させて不図示のスイッチをＯＮ／ＯＦＦ制御することで、３．５インチ型ＨＤＤカートリッジ１０の挿入を電子機器５０内で検出することができるようになっている。
【００５８】
尚、上ハーフ１２の右側面１２ｄの下方部位に形成したスイッチ検出溝１２ｄ２の場合には、３．５インチ型ＨＤＤカートリッジ１０の挿入途中で挿入を検出することができ、一方、下ハーフ１３の挿入方向前面１３ａの左右に形成したスイッチ検出孔１３ａ２は３．５インチ型ＨＤＤカートリッジ１０の挿入完了後に挿入を検出することができる。
【００５９】
また、カートリッジ筐体１１は、上ハーフ１２の後面１２ｂに貫通して形成した放熱孔１２ｂ１（図２）と、上ハーフ１２の左右の側面１２ｃ，１２ｄに貫通して形成した放熱孔１２ｃ３（図２），１２ｄ３（図１）とにより、カートリッジ筐体１１内に収納した３．５インチ型ＨＤＤ２０で発生した熱を放熱して、３．５インチ型ＨＤＤの温度上昇を防止している。
【００６０】
尚、電子機器５０内では、通常、熱対策としてセット外装筐体５１の前面５１ａから後面（図示せず）に向かって気流が発生するように吸い込み型冷却ファン（図示せず）が取り付けられている。この気流を想定して、３．５インチ型ＨＤＤカートリッジ１０を電子機器５０内に挿入した時に、カートリッジ筐体１１の上ハーフ１２の後面１２ｂに形成した放熱孔１２ｂ１側から上ハーフ１２の左右の側面１２ｃ，１２ｄに形成した放熱孔１２ｃ３，１２ｄ３側に気流が通るようにしている。この気流により３．５インチ型ＨＤＤ２０（図３，図４）内に設けた不図示のＬＳＩやドライバＩＣが発生する熱をカートリッジ筐体１１と３．５インチ型ＨＤＤ２０との間に形成された流路により熱を外部に逃がすようにしている。また，３．５インチ型ＨＤＤ２０内に設けた不図示のハードディスクドライブ駆動回路近傍に対応して下ハーフ１３の底面１３ｅに形成した放熱孔１３ｅ１（図２）により、ハードディスクドライブ駆動回路への空気流供給が不足しないようにしている。
【００６１】
また、図２及び図４に示した如く、カートリッジ筐体１１の下ハーフ１３の底面１３ｅ中で挿入方向前面１３ａ側に係止孔１３ｅ２が形成されており、この係止孔１３ｅ２は本発明の要部の一部を構成するものであり、下記するように３．５インチ型ＨＤＤカートリッジ１０を電子機器５０内に挿脱する時に、電子機器５０のセット外装筐体５１の前面５１ａに取り付けたドアー５２をセット外装筐体５１の外側に向かって略水平に開いて、このドアー５２の裏面５２ｂに取り付けたカートリッジ係止用テーパ状レバー５４（図１）をカートリッジ筐体１１の下ハーフ１３の底面１３ｅに形成した係止孔１３ｅ２内に進入させることで、３．５インチ型ＨＤＤカートリッジ１０がドアー５２の裏面５２ｂに取り付けたドアー後面カバー５３上に一時的に係止されるようになっている。
【００６２】
即ち、カートリッジ筐体１１内に３．５インチ型ＨＤＤ２０を収納した３．５インチ型ＨＤＤカートリッジ１０の重量は約９００ｇと重いので、電子機器５０のセット外装筐体５１の前面５１ａに形成した挿脱口５１ａ１から３．５インチ型ＨＤＤカートリッジ１０を不用意に挿脱した際に、重量のある３．５インチ型ＨＤＤカートリッジ１０を落下させてしまうことが起きる。
【００６３】
そこで、３．５インチ型ＨＤＤカートリッジ１０を電子機器５０内から引き抜く場合に、図５（ａ）〜（ｃ）中においてセット外装筐体５１を図２中のＸ−Ｘ矢視方向に沿って断面して示すと、図５（ａ）に示した如く、電子機器５０のセット外装筐体５１の前面５１ａに形成した挿脱口５１ａ１に対向してドアー５２が開閉自在に取り付けられ、且つ、ドアー５２の裏面５２ｂにカートリッジ係止用テーパ状レバー５４が軸５５を中心にしてネジリバネ５６で付勢しながら回動自在に取り付けられており、このドアー５２を略水平に開くと、このドアー５２の裏面５２ｂに取り付けたドアー後面カバー５３の矩形孔５３ａ内からカートリッジ係止用テーパ状レバー５４がネジリバネ５６の付勢力で上方に向かって起立している。この図５（ａ）の場合には、電子機器５０のセット外装筐体５１内に３．５インチ型ＨＤＤカートリッジ１０が挿入されており、且つ、３．５インチ型ＨＤＤカートリッジ１０の下ケース２３の底面１３ｅに形成した係止孔１３ｅ２は電子機器５０内に位置している。
【００６４】
この後、図５（ｂ）に示した如く、電子機器５０のセット外装筐体５１の前面５１ａに形成した挿脱口５１ａ１から３．５インチ型ＨＤＤカートリッジ１０を矢印方向に向かって引き抜いて３．５インチ型ＨＤＤカートリッジ１０をドアー５２の裏面５２ｂに取り付けたドアー後面カバー５３上に乗せると、３．５インチ型ＨＤＤカートリッジ１０の下ケース２３の底面１３ｅに形成した係止孔１３ｅ２内にドアー５２の裏面５２ｂに取り付けたカートリッジ係止用テーパ状レバー５４がドアー後面カバー５３の矩形孔５３ａを介して進入するので、図５（ｃ）に示したように、ドアー５２の裏面５２ｂに取り付けたドアー後面カバー５３上に重量のある３．５インチ型ＨＤＤカートリッジ１０が一時的に係止される。
【００６５】
一方、３．５インチ型ＨＤＤカートリッジ１０を電子機器５０内に挿入する場合に図６（ａ），（ｂ）中においてセット外装筐体５１を図２中のＸ−Ｘ矢視方向に沿って断面して示すと、図６（ａ）に示した如く、電子機器５０のセット外装筐体５１の前面５１ａに取り付けたドアー５２を略水平に開いて、このドアー５２の裏面５２ｂに取り付けたドアー後面カバー５３上に３．５インチ型ＨＤＤカートリッジ１０を搭載しながらこの３．５インチ型ＨＤＤカートリッジ１０を矢印方向に向かって電子機器５０のセット外装筐体５１の前面５１ａに形成した挿脱口５１ａ１から挿入すると、ドアー５２の裏面５２ｂ側に取り付けたカートリッジ係止用テーパ状レバー５４が軸５５を介してネジリバネ５６の付勢力に抗して下ケース２３の底面１３ｅに当接するようにドアー後面カバー５３の矩形孔５３ａ内を回動するので、３．５インチ型ＨＤＤカートリッジ１０を電子機器５０のセット外装筐体５１の前面５１ａに形成した挿脱口５１ａ１から挿入することができる。
【００６６】
この後、図６（ｂ）に示した如く、３．５インチ型ＨＤＤカートリッジ１０を電子機器５０内に完全に挿入すれば、ドアー５２に取り付けたドアー後面カバー５３と３．５インチ型ＨＤＤカートリッジ１０との間に僅かな隙間Ｓが形成されるので、ドアー５２で電子機器５０に形成した挿脱口５１ａ１を完全に閉じることができる。この際、ドアー５２の裏面側に取り付けたカートリッジ係止用テーパ状レバー５４は、上記した隙間Ｓ内に収まるので電子機器５０内に挿入した３．５インチ型ＨＤＤカートリッジ１０に衝突することはない。
【００６７】
従って、図５及び図６の説明から、３．５インチ型ＨＤＤカートリッジ１０の電子機器５０への挿脱時に、重量のある３．５インチ型ＨＤＤカートリッジ１０を電子機器５０のセット外装筐体５１の前面５１ａに形成した挿脱口５１ａ１から落下するのを防止できるので、３．５インチ型ＨＤＤ２０及び３．５インチ型ＨＤＤ２０を収納した３．５インチ型ＨＤＤカートリッジ１０の破損を防止できる。
【００６８】
更に、図１〜図４を併用して説明すると、カートリッジ筐体１１を構成する上ハーフ１２の左右の側面１２ｃ，１２ｄに、バネ押圧用孔１２ｃ４，１２ｄ４がそれぞれ間隔を離して２個づつ貫通して形成されており、これらのバネ押圧用孔１２ｃ４，１２ｄ４に先に図３（ａ）を用いて説明した３．５インチ型ＨＤＤ２０における上ケース２４の左右の側面２４ｃ，２４ｄの外側に間隔を離して２個づつ取り付けた導電性板バネ２６がそれぞれ臨んでいる。
【００６９】
そして、３．５インチ型ＨＤＤカートリッジ１０を電子機器５０内に装着するにあたって、図７（ａ），（ｂ）中においてカートリッジ筐体１１の上ハーフ１２及び下ハーフ１２を図１中のＹ−Ｙ矢視方向に沿って断面して示すと、３．５インチ型ＨＤＤカートリッジ１０のカートリッジ筐体１１を構成する上ハーフ１２の左右の側面１２ｃ，１２ｄ及び下ハーフ１３の左右の側面１３ｃ，１３ｄとそれぞれ対向して、電子機器５０（図１）内には左右一対の導電性フックレバー５７Ｌ，５７Ｒが左右一対の軸５８Ｌ，５８Ｒを中心して不図示のバネにより拡開した状態で左右対称に回動自在に支持されており、且つ、左右一対の導電性フックレバー５７Ｌ，５７Ｒは電子機器５０（図１）内に設けた不図示のカートリッジローディング用駆動源により回動可能になっている。
【００７０】
即ち、図７（ａ）に示したように、３．５インチ型ＨＤＤカートリッジ１０を電子機器５０内に挿入している際中には、左右一対の導電性フックレバー５７Ｌ，５７Ｒが初期状態を保っており、且つ、左右一対の導電性フックレバー５７Ｌ，５７Ｒはカートリッジ筐体１１を構成する上ハーフ１２の左右の側面１２ｃ，１２ｄから離間している。この際、上ハーフ１２の左右の側面１２ｃ，１２ｄに形成したバネ押圧用孔１２ｃ４，１２ｄ４内には、３．５インチ型ＨＤＤ２０の左右の側面の外側に取り付けた各導電性板バネ２６が臨んでいる。
【００７１】
この後、図７（ｂ）に示したように、３．５インチ型ＨＤＤカートリッジ１０が電子機器５０内に完全に装着されると、左右一対の導電性フックレバー５７Ｌ，５７Ｒは不図示不図示のカートリッジローディング用駆動源の駆動力によりカートリッジ筐体１１を構成する上ハーフ１２の左右の側面１２ｃ，１２ｄに形成したバネ押圧用孔１２ｃ４，１２ｄ４内にそれぞれ進入して、３．５インチ型ＨＤＤ２０の左右の側面に取り付けた各導電性板バネ２６に当接して押圧するので、左右一対の導電性フックレバー５７Ｌ，５７Ｒと各導電性板バネ２６とを介して、電子機器５０と３．５インチ型ＨＤＤ２０との間でグランドと同電位に接地（アース）することができる。
【００７２】
また、左右一対の導電性フックレバー５７Ｌ，５７Ｒが各導電性板バネ２６に当接して押圧している時には、電子機器５０と３．５インチ型ＨＤＤ２０との間で外部からの衝撃などが緩衝されて各導電性板バネ２６のバネ力により一定の荷重で３．５インチ型ＨＤＤカートリッジ１０を電子機器５０内で押さえることができ、３．５インチ型ＨＤＤ２０の固有振動数を外して制振しながら固定できる。
【００７３】
更に、左右一対の導電性フックレバー５７Ｌ，５７Ｒが各導電性板バネ２６に当接して押圧している時には、３．５インチ型ＨＤＤ２０で発生した熱を各導電性板バネ２６から左右一対の導電性フックレバー５７Ｌ，５７Ｒに伝達することで、３．５インチ型ＨＤＤ２０で生じた熱を電子機器５０の外部に良好に放熱することができる。
【００７４】
即ち、３．５インチ型ＨＤＤカートリッジ１０の内部に収納した３．５インチ型ＨＤＤ２０で発生した熱を電子機器５０の外部に放熱するにあたって、本発明に対する比較例の場合には、図８（ａ），（ｂ）に示したように、３．５インチ型ＨＤＤ２０の左右の側面の外側に少なくとも一つ以上の導電性板バネが取り付けられていない場合であり、この場合には、３．５インチ型ＨＤＤ２０内の熱源で生じた温度Ｔｊが伝導により３．５インチ型ＨＤＤ２０の表面に温度Ｔで伝わり、この後、３．５インチ型ＨＤＤカートリッジ１０内での対流，伝導，放射により３．５インチ型ＨＤＤカートリッジ１０の表面に温度Ｔで伝わり、更にこの後、電子機器５０内での対流，伝導，放射によりセット外装筐体５１の表面に温度Ｔｓで伝わり、このセット外装筐体５１の表面温度Ｔｓが対流，放射により温度Ｔｏで外気に放熱されるので、各温度はＴｊ＞Ｔ＞Ｔｓ＞Ｔｏの順に徐々に下降している。
【００７５】
一方、３．５インチ型ＨＤＤカートリッジ１０の内部に収納した３．５インチ型ＨＤＤ２０で発生した熱を電子機器５０の外部に放熱するにあたって、本発明の場合には、図９（ａ），（ｂ）に示したように、３．５インチ型ＨＤＤ２０の側面の外側に少なく一つ以上の導電性板バネ２６が取り付けられており、これに対応して電子機器５０内に少なくとも一つ以上の導電性板バネ２６に当接する少なくとも一つ以上の導電性フックレバー５７Ｌ，５７Ｒがある場合であり、この場合には、３．５インチ型ＨＤＤ２０内の熱源で生じた温度Ｔｊが比較例と同様な伝達により外部に放熱される他に、３．５インチ型ＨＤＤ２０内の熱源で生じた温度Ｔｊが３．５インチ型ＨＤＤ２０の側面に取り付けた少なくとも一つ以上の導電性板バネ２６からセット外装筐体５１内に設けた少なくとも一つ以上の導電性フックレバー５７Ｌ，５７Ｒに直接伝導されるので、比較例よりも熱伝達の手段を増やして短時間で効率の良い放熱を行うことができる。
【００７６】
次に、２．５インチ型ハードディスクドライブ又は１．８インチ型ハードディスクドライブを選択的に収納できるように構成した本発明に係るハードディスクドライブ装着用アダプタについて、図１０（ａ），（ｂ）を用いて簡略に説明する。
【００７７】
図１０（ａ），（ｂ）に示した如く、本発明に係るハードディスクドライブ装着用アダプタ（以下、２．５インチ型／１．８インチ型ＨＤＤ装着用アダプタと記す）３０では、略直方体形状に形成されたアダプタ筐体３１の外形寸法が、先に図１を用いて説明した最大サイズである３．５インチ型ＨＤＤカートリッジ１０の外形寸法（奥行き寸法Ｄ＝１８５ｍｍ，幅寸法Ｗ＝１１６ｍｍ，高さ寸法Ｈ＝３６ｍｍ）と略同じ値に設定されている。
【００７８】
そして、上記した２．５インチ型／１．８インチ型ＨＤＤ装着用アダプタ３０は、図１０（ａ）に示したように、アダプタ筐体３１内に２．５インチ型ハードディスクドライブ（以下、２．５インチ型ＨＤＤと記す）４０をこのドライブに取り付けたコネクタ４１が挿入方向前面側に形成した開口部を臨むように位置決めして収納するか、又は、図１０（ｂ）に示したように、アダプタ筐体３１内に１．８インチ型ハードディスクドライブ（以下、１．８インチ型ＨＤＤと記す）４５をこのドライブに取り付けたコネクタ４６が挿入方向前面側に形成した開口部を臨むように位置決めして収納することで、先に図１を用いて説明した電子機器５０内で３．５インチ型ＨＤＤカートリッジ１０に対してコネクタ接続の互換性が取れるようになっている。
【００７９】
また、２．５インチ型／１．８インチ型ＨＤＤ装着用アダプタ３０のアダプタ筐体３１は、樹脂材を用いて成形加工した上ハーフ３２と下ハーフ３３とに２分割されおり、両ハーフ３２，３３同士を蓋合わせして不図示のネジにより一体的に合体されている。
【００８０】
そして、アダプタ筐体３１を構成する上ハーフ３２及び下ハーフ３３の各挿入方向前面３２ａ，３３ａ側が電子機器５０（図１）内に挿入する時の先頭側になっており、且つ、上ハーフ３２の後面３２ｂ側を手で把持できるようになっている。
【００８１】
また、アダプタ筐体３１を構成する下ハーフ３３の左右の側面（３３ｃ…図示せず），３３ｄには、電子機器５０（図１）への誤挿入を防止するための誤挿入防止溝（３３ｃ１…図示せず），３３ｄ１と、電子機器５０（図１）内にオートローディングするためのローディング爪係合孔（３３ｃ２…図示せず），３３ｄ２とが３．５インチ型ＨＤＤカートリッジ１０と互換性を持って略同一位置に形成されている。
【００８２】
また、アダプタ筐体３１を構成する上ハーフ３２の左右の側面（３２ｃ…図示せず），３２ｄには、電子機器５０（図１）内にオートローディングするためのローディング爪係合孔（３２ｃ１…図示せず），３２ｄ１が３．５インチ型ＨＤＤカートリッジ１０と互換性を持って略同一位置に形成されている。
【００８３】
この際、２．５インチ型ＨＤＤ４０又は１．８インチ型ＨＤＤ４５は、各上下のハーフが樹脂材を用いて形成されているために、各上ハーフの左右の側面の外側には接地用の導電性板バネが取り付けられていないために、アダプタ筐体３１を構成する上ハーフ３２の左右の側面（３２ｃ…図示せず），３２ｄにバネ押圧用孔を形成する必要はない。
【００８４】
更に、アダプタ筐体３１を構成する上ハーフ３２の左右の側面（３２ｃ…図示せず），３２ｄ及び下ハーフ３３の挿入方向前面３３ａには、３．５インチ型の場合とは異なってスイッチ検出溝及びスイッチ検出孔が形成されてなく、これにより電子機器５０（図１）内に３．５インチ型ＨＤＤカートリッジ１０が挿入されたのか、それとも２．５インチ型／１．８インチ型ＨＤＤ装着用アダプタ３０が挿入されたかを検出することができる。
【００８５】
尚、上記したスイッチ検出溝及びスイッチ検出孔は、３．５インチ型ＨＤＤカートリッジ１０、又は、２．５インチ型／１．８インチ型ＨＤＤ装着用アダプタ３０のいずれか一方に設ければ良いものである。
【００８６】
また、アダプタ筐体３１を構成する下ハーフ３３の底面３３ｅには、２．５インチ型ＨＤＤ４０又は１．８インチ型ＨＤＤ４５を選択的に収納するための開口部３３ｅ１が形成されており、この開口部３３ｅ１は収納蓋３４により開閉自在になっている。
【００８７】
更に、上記した収納蓋３４は、アダプタ筐体３１の挿入方向側に係止孔３４ａが形成されている。この係止孔３４ａは、３．５インチ型の場合と同様に、２．５インチ型ＨＤＤ４０又は１．８インチ型ＨＤＤ４５を選択的に収納した２．５インチ型／１．８インチ型ＨＤＤ装着用アダプタ３０を電子機器５０（図１）に対して挿脱した時に、電子機器５０側の開閉自在なドアー５２の裏面５２ｂに取り付けたカートリッジ係止用テーパ状レバー５４（図１）を収納蓋３４の係止孔３４ａ内に進入させることで、２．５インチ型／１．８インチ型ＨＤＤ装着用アダプタ３０がドアー５２の裏面５２ｂに取り付けたドアー後面カバー５３（図１）上に一時的に係止されるようになっている。
【００８８】
これにより、２．５インチ型／１．８インチ型ＨＤＤ装着用アダプタ３０の電子機器５０への挿脱時に、重量のある２．５インチ型／１．８インチ型ＨＤＤ装着用アダプタ３０を電子機器５０のセット外装筐体５１の前面５１ａに形成した挿脱口５１ａ１から落下するのを防止できるので、２．５インチ型ＨＤＤ４０又は１．８インチ型ＨＤＤ４５を収納した２．５インチ型／１．８インチ型ＨＤＤ装着用アダプタ３０の破損を防止できる。
【００８９】
次に、３．５インチ型ＨＤＤカートリッジ１０と、２．５インチ型／１．８インチ型ＨＤＤ装着用アダプタ３０とを電子機器５０内で判別する動作について、図１１を用いて簡略に説明する。
【００９０】
図１１に示した如く、ステップＳ１で３．５インチ型ＨＤＤカートリッジ１０又は２．５インチ型／１．８インチ型ＨＤＤ装着用アダプタ３０を電子機器５０内に挿入する。この際、この実施例では、前述の図１及び図２に示したように３．５インチ型ＨＤＤカートリッジ１０のカートリッジ筐体１１にはスイッチ検出溝１２ｄ２及びスイッチ検出孔１３ａ２が形成されているが、前述の図１０に示したように２．５インチ型／１．８インチ型ＨＤＤ装着用アダプタ３０のアダプタ筐体３１にはスイッチ検出溝及びスイッチ検出孔が形成されていない。
【００９１】
次に、ステップＳ２では電子機器５０内の検出ＳＷ（図示せず）がＯＮ動作したか否かを問い、検出ＳＷ（図示せず）がＯＮ動作した時に、ステップＳ３で３．５インチ型ＨＤＤカートリッジ１０であると判別し、この後、ステップＳ４で３．５インチ型ＨＤＤ２０（図３，図４）を駆動するためにモーター起動電圧を１２Ｖに設定する。
【００９２】
一方、ステップＳ２では電子機器５０内の検出ＳＷ（図示せず）がＯＦＦ動作したままであれば、ステップＳ５で２．５インチ型ＨＤＤ４０｛図１０（ａ）｝又は１．８インチ型ＨＤＤ４５｛図１０（ｂ）｝を駆動するためにモーター起動電圧を５Ｖに設定する。
【００９３】
この後、ステップＳ６でモーター回転信号が出力されたか否かを問い、モーター回転信号が出力された時に、ステップＳ７で２．５インチ型／１．８インチ型ＨＤＤ装着用アダプタ３０であると判別する。
【００９４】
一方、ステップＳ６でモーター回転信号が出力されていなければ、ステップＳ８で３．５インチ型ＨＤＤカートリッジ１０又は２．５インチ型／１．８インチ型ＨＤＤ装着用アダプタ３０が装着されていないと判別する。
【００９５】
上記により、電子機器５０内に３．５インチ型ＨＤＤカートリッジ１０と、２．５インチ型／１．８インチ型ＨＤＤ装着用アダプタ３０とを選択的に装着できるので、使用勝手の良い電子機器５０を提供できる。
【図面の簡単な説明】
【００９６】
【図１】本発明に係るハードディスクドライブカートリッジ及び電子機器を示した斜視図である。
【図２】本発明に係るハードディスクドライブカートリッジを裏面側から見た斜視図である。
【図３】（ａ），（ｂ）は本発明に係るハードディスクドライブカートリッジ内に収納される３．５インチ型ハードディスクドライブを示した斜視図である。
【図４】３．５インチ型ハードディスクドライブを収納した本発明に係るハードディスクドライブカートリッジを一部分解して示した一部分解斜視図である。
【図５】（ａ）〜（ｃ）は本発明に係るハードディスクドライブカートリッジを電子機器内から引き抜く動作を説明するために図２中のＸ−Ｘ矢視方向に沿って断面して示した縦断面図である。
【図６】（ａ），（ｂ）は本発明に係るハードディスクドライブカートリッジを電子機器内に挿入する動作を説明するために図２中のＸ−Ｘ矢視方向に沿って断面して示した縦断面図である。
【図７】（ａ），（ｂ）は本発明に係るハードディスクドライブカートリッジ内に収納した３．５インチ型ハードディスクドライブを電子機器内で接地（アース）する動作を説明するために図１中のＹ−Ｙ矢視方向に沿って断面して示した縦断面図である。
【図８】（ａ），（ｂ）は本発明に係るハードディスクドライブカートリッジ内に収納した３．５インチ型ハードディスクドライブで生じた熱を電子機器の外部に放熱する際に、本発明に対する比較例の場合を模式的に示した図である。
【図９】（ａ），（ｂ）は本発明に係るハードディスクドライブカートリッジ内に収納した３．５インチ型ハードディスクドライブで生じた熱を電子機器の外部に放熱する際に、本発明の場合を模式的に示した図である。
【図１０】（ａ），（ｂ）は本発明に係るハードディスクドライブ装着用アダプタを説明するために示した斜視図である。
【図１１】本発明に係るハードディスクドライブカートリッジと、本発明に係るハードディスクドライブ装着用アダプタとを電子機器内で判別する動作を示したフロー図である。
【図１２】従来例１の記憶媒体装着装置、及び電気機器を示した斜視図である。
【図１３】従来例２の携帯型ハードディスク装置を示した斜視図である。
【符号の説明】
【００９７】
１０…３．５インチ型ハードディスクドライブカートリッジ
（３．５インチ型ＨＤＤカートリッジ）、
１１…カートリッジ筐体、
１２…上ハーフ、１２ａ…挿入方向前面、１２ａ１…開口部、
１２ｂ…後面、１２ｂ１…放熱孔、
１２ｃ，１２ｄ…左右の側面、
１２ｃ１，１２ｄ１…ローディング爪係合孔、１２ｄ２…スイッチ検出溝、
１２ｃ３，１２ｄ３…放熱孔、１２ｃ４，１２ｄ４…バネ押圧用孔、
１２ｅ…上面、１２ｄｅ…面取り、
１３…下ハーフ、１３ａ…挿入方向前面、１３ａ１…開口部、
１３ａ２…スイッチ検出孔、１３ｂ…後面、
１３ｃ，１３ｄ…左右の側面、１３ｃ１，１３ｄ１…誤挿入防止溝、
１３ｃ２，１３ｄ２…ローディング爪係合孔、
１３ｅ…底面、１３ｅ１…放熱孔、１３ｅ２…係止孔、
１４Ａ，１４Ｂ…ネジ、１５…コネクタ、１６…ゴムブッシュング、１７…ネジ、
１８…フレキシブル配線ワイヤ、
２０…３．５インチ型ハードディスクドライブ（３．５インチ型ＨＤＤ）、
２１…下ケース、２２…３．５インチ型ハードディスク（３．５インチ型ＨＤ）、
２３…磁気ヘッド、２４…上ケース、２５…ネジ、２６…導電性板バネ、
２７Ａ〜２７Ｄ…第１緩衝吸収材、２８Ａ，２８Ｂ…第２緩衝吸収材、
３０…２．５インチ型／１．８インチ型ハードディスクドライブ装着用アダプタ
（２．５インチ型／１．８インチ型ＨＤＤ装着用アダプタ）、
３１…アダプタ筐体、
３２…上ハーフ、３２ａ…挿入方向前面、３２ｂ…後面、
（３２ｃ），３２ｄ…左右の側面、
（３２ｃ１），３２ｄ１…ローディング爪係合孔、
３３…下ハーフ、３３ａ…挿入方向前面、
３３ｃ，３３ｄ…左右の側面、（３３ｃ１），３３ｄ１…誤挿入防止溝、
（３３ｃ２），３３ｄ２…ローディング爪係合孔、
３３ｅ…底面、３３ｅ１…開口部、
３４…収納蓋、３４ａ…係止孔、
４０…２．５インチ型ハードディスクドライブ（２．５インチ型ＨＤＤ）、
４１…コネクタ、
４５…１．８インチ型ハードディスクドライブ（１．８インチ型ＨＤＤ）
４６…コネクタ、
５０…電子機器、
５１…セット外装筐体、５１ａ…前面、５１ａ１…挿脱口、
５２…ドアー、５２ａ…前面、５２ｂ…裏面、５２ｂ１…凹部、
５３…ドアー後面カバー、
５４…カートリッジ係止用テーパ状レバー、５５…軸、５６…ネジリバネ、
５７Ｌ，５７Ｒ…左右一対の導電性フックレバー、５８Ｌ，５８Ｒ…左右一対の軸。
【図１】
2008310866.tif 000003
【図２】
2008310866.tif 000004
【図３】
2008310866.tif 000005
【図４】
2008310866.tif 000006
【図５】
2008310866.tif 000007
【図６】
2008310866.tif 000008
【図７】
2008310866.tif 000009
【図８】
2008310866.tif 000010
【図９】
2008310866.tif 000011
【図１０】
2008310866.tif 000012
【図１１】
2008310866.tif 000013
【図１２】
2008310866.tif 000014
【図１３】
2008310866.tif 000015